(57)【要約】      （修正有）【課題】ウォーターサーバーのボトルホルダーに装着して、穿孔によって飲料水を注出する飲料水容器において、穿孔が容易で、飲料水の注出が安定した、飲料水容器の提供。【解決手段】飲料水を収容し、ウォーターサーバーのボトルホルダーに設置し、ボトルホルダー側のニードルで穿孔することによって飲料水を、ウォーターサーバーに注出する飲料水容器において、飲料水容器は、容器本体１と、スパウト２とから構成され、容器本体にはスパウトが先端部を外側に突き出して接着され、スパウトの内側を貫通する飲料水の流路にはそれを遮る、スパウトと一体となった隔壁３が設けられて、飲料水容器は密閉されており、飲料水の流路の内径は、隔壁より容器外側において、ボトルホルダー側のニードルの直径より大きく、パッキンの直径と同等であることを特徴とする飲料水容器である。【選択図】図１
2020066438.tif 000002
【特許請求の範囲】
【請求項１】
飲料水を収容し、ウォーターサーバーのボトルホルダーに設置し、ボトルホルダー側のニードルで穿孔することによって飲料水を、ニードルから、ニードルを取り囲むパッキン、それらに連続するホース状のパーツを通じて、ウォーターサーバーに注出する飲料水容器において、
飲料水容器は、容器本体と、スパウトとから構成され、
容器本体にはスパウトが先端部を外側に突き出して接着され、
スパウトの内側を貫通する飲料水の流路にはそれを遮る、スパウトと一体となった隔壁が設けられて、飲料水容器は密閉されており、
飲料水の流路の内径は、隔壁より容器外側において、ボトルホルダー側のニードルの直径より大きく、パッキンの直径と同等であることを特徴とする飲料水容器。
【請求項２】
前記スパウトはプラスチック成形品からなり、前記隔壁の厚さは０．１ｍｍ〜２．０ｍｍの範囲であることを特徴とする請求項１に記載の飲料水容器。
【請求項３】
前記スパウトは、中栓またはキャップによって、前記先端部が閉じられていることを特徴とする請求項１または請求項２に記載の飲料水容器。
【請求項４】
前記スパウトは、低密度ポリエチレン、直鎖状低密度ポリエチレン、環状ポリオレフィン系プラスチック、ポリエチレンテレフタレート樹脂のいずれかからなることを特徴とする、請求項１〜請求項３のいずれかに記載の飲料水容器。
【発明の詳細な説明】
【技術分野】
【０００１】
本発明は、飲料水容器に関するものである。特にプラスチックフィルム、あるいはプラスチックの被膜からなる、飲料水を収納可能な飲料水容器であって、ウォーターサーバーに装着可能で、その取水口に接続して、内容物の飲料水をウォーターサーバー側に必要量注ぎ出すことが可能な飲料水容器である。
【背景技術】
【０００２】
近年水への関心が高まっており、例えば天然水やＲＯ水を飲料用にする目的や、乳児用のミルクのための安全な水などを、家庭や店舗、あるいは各種施設で手軽に使うことを目的として、ウォーターサーバーの需要が徐々に増えているといわれる。
【０００３】
多くは天然水やＲＯ水が充填されたボトルをウォーターサーバーに装着して、取水口を介して必要量をくみ出すことができるというものである。その一方では、特許文献１に提案されているように、ボトルを用いるのではなく、軟素材を用いた飲料水容器による飲料水容器が提案されている。
【０００４】
例えば特許文献１に示されているように、一般にこのようなウォーターサーバー用の容器は、飲料水容器を受けるボトルホルダーの底部に設けられたニードルによって袋の底に穴があけられて飲料水が注出され、冷却タンクまたは加熱タンクに貯められる仕組みになっている。
【０００５】
しかしながら、このような飲料水容器は、穿孔される箇所に筒状の穿孔補助部材が設けられ、穿孔時のニードルと飲料水容器との位置あわせや、穿孔してセットした後の位置ズレの防止に用いられる。
【０００６】
また流通過程において、穿孔補助部材内の、容器本体に付着した塵埃が穿孔の際に飲料水に混入することを防ぐために、穿孔補助部材の上端に剥離可能な蓋材を粘着材を用いて取り付ける場合があった。
【０００７】
しかしながら粘着材を用いて取り付けた場合、剥離後に穿孔補助部材に残った粘着剤が飲料水に触れることによって、粘着材の臭いが飲料水に移って飲料水の味の劣化を引き起こすおそれがあった。
【０００８】
また、特許文献２には、口栓自体に突き刺す部分を設けるものとして、口栓およびゴムパッキンを設けたものが提案されている。しかし、針が細いものであれば貫通させることができるが、たとえば多量に内容液を取り出そうとするために、針を太くする場合にはうまく貫通させることができなかった。
【０００９】
なお、飲料水容器は内容物として飲料水を充填する場合に限らず、液体であれば飲料水同様に充填して液体容器として用いることが可能である。
【先行技術文献】
【特許文献】
【００１０】
【特許文献１】特開２０１１−４６４４６号公報
【特許文献２】特開平７−３３１７８号公報
【発明の概要】
【発明が解決しようとする課題】
【００１１】
本発明はこのような状況に鑑みてなされたものであり、ウォーターサーバーのボトルホルダーに装着して、穿孔によって飲料水を注出する飲料水容器において、穿孔が容易で、飲料水の注出が安定した、飲料水容器の提供を課題とする。
【課題を解決するための手段】
【００１２】
上記の課題を解決するための手段として、請求項１に記載の発明は、
飲料水を収容し、ウォーターサーバーのボトルホルダーに設置し、ボトルホルダー側のニードルで穿孔することによって飲料水を、ニードルから、ニードルを取り囲むパッキン、それらに連続するホース状のパーツを通じて、ウォーターサーバーに注出する飲料水容器において、
飲料水容器は、容器本体と、スパウトとから構成され、
容器本体にはスパウトが先端部を外側に突き出して接着され、
スパウトの内側を貫通する飲料水の流路にはそれを遮る、スパウトと一体となった隔壁が設けられて、飲料水容器は密閉されており、
飲料水の流路の内径は、隔壁より容器外側において、ボトルホルダー側のニードルの直径より大きく、パッキンの直径と同等であることを特徴とする飲料水容器である。
【００１３】
また、請求項２に記載の発明は、
前記スパウトはプラスチック成形品からなり、前記隔壁の厚さは０．１ｍｍ〜２．０ｍｍの範囲であることを特徴とする請求項１に記載の飲料水容器である。
【００１４】
また、請求項３に記載の発明は、
前記スパウトは、中栓またはキャップによって、前記先端部が閉じられていることを特徴とする請求項１または請求項２に記載の飲料水容器である。
【００１５】
また、請求項４に記載の発明は、
前記スパウトは、低密度ポリエチレン、直鎖状低密度ポリエチレン、環状ポリオレフィン系プラスチック、ポリエチレンテレフタレート樹脂のいずれかからなることを特徴とする、請求項１〜請求項３のいずれかに記載の飲料水容器である。
【発明の効果】
【００１６】
本発明によれば、ウォーターサーバーのボトルホルダーに装着して、穿孔によって飲料水を注出する飲料水容器において、穿孔が容易で、飲料水の注出が安定した、飲料水容器の提供が可能である。
【００１７】
すなわち、飲料水の流路の内径は、隔壁より容器外側において、ボトルホルダー側のニードルの直径より大きく、パッキンの直径と同等であることによって、穿孔作業において、スパウトに挿入されたニードルを、パッキンがスパウトの流路内部で支えることが可能になるため、穿孔が容易で、飲料水の注出が安定した、飲料水容器を実現することができる。
【００１８】
特に請求項２に記載の発明によれば、スパウトはプラスチック成形品からなり、隔壁の厚さは０．１ｍｍ〜２．０ｍｍの範囲であることによって、飲料水容器の密封性を確保しながら、ニードルによる穿孔においてその容易さを損なうことがない。
【００１９】
また特に請求項３に記載の発明によれば、スパウトは、中栓またはキャップによって、前記先端部が閉じられていることによって、容器外部からの塵埃の付着を防止することが可能であり、加えて意図しない開封を防止することができる。
【００２０】
また特に請求項４に記載の発明によれば、スパウトは、低密度ポリエチレン、直鎖状低密度ポリエチレン、環状ポリオレフィン系プラスチック、ポリエチレンテレフタレート樹脂のいずれかからなることによって、たとえば飲料水に対して、材質由来の臭気の移行や風味の変化を避けることが可能である。
【図面の簡単な説明】
【００２１】
【図１】図１は本発明に係る飲料水容器のスパウト、およびその容器本体への接着部分を説明するための、部分断面模式図である。
【図２】図２は本発明に係る飲料水容器のスパウトに、ウォーターサーバーのボトルホルダー側のニードルを用いて穿孔して、注水を可能にした状態を説明するための、部分断面模式図である。
【発明を実施するための形態】
【００２２】
以下、本発明を図１および図２を参照しながら、更に詳しい説明を加える。ただし本発明は、ここに示す例にのみ限定されるものではない。本発明は、請求項によって限定されるものである。
【００２３】
図１は本発明に係る飲料水容器のスパウト、およびその容器本体への接着部分を説明するための、部分断面模式図である。
【００２４】
本発明は、飲料水を収容し、ウォーターサーバーのボトルホルダーに設置し、ボトルホルダー側のニードルで穿孔することによって飲料水を、ニードルから、ニードルを取り囲むパッキン、それらに連続するホース状のパーツを通じて、ウォーターサーバーに注出する飲料水容器である。
【００２５】
これらウォーターサーバー側の、ニードル、パッキン、ホース状のパーツについては、図２の説明において後述する。
【００２６】
飲料水容器は、容器本体（１）と、飲料水注出用のスパウト（２）とから構成され、容器本体にはスパウト（２）が先端部（４）を容器外側に突き出して接着されている。
【００２７】
このうち、容器本体（１）は、プラスチックフィルムあるいはプラスチックフィルムを基材とした積層体から構成される。
【００２８】
プラスチックフィルムは、高分子樹脂組成物からなるフィルムであって、たとえばポリオレフィン（ポリエチレン、ポリプロピレン等）、ポリエステル（ポリエチレンテレフタレート、ポリブチレンテレフタレート、ポリエチレンナフタレート等）、ポリアミド（ナイロンー６、ナイロンー６６等）、ポリイミドなどが使用でき、用途に応じて適宜選択される。
【００２９】
特にポリプロピレン、ポリエチレンテレフタレートをプラスチックフィルムとする場合は、フィルム強度と価格においてより好ましい。そのほか延伸ポリアミドフィルムを用いる場合には、積層体に突き刺しに対する強靭性や、衝撃に対する強靭性を付与することができる。
【００３０】
またプラスチックフィルムは、接着剤層を介して他の層と積層して積層体とすることができる。積層体の層構成やその材料構成、厚さなどは、飲料水容器に対する要求品質に応じて適宜設計することができる。
【００３１】
たとえば、積層体の飲料水容器内側になる面にシーラント層を設けることができる。シ
ーラント層は、２枚の積層体をシーラント層同士が対向するように重ねて、加熱、加圧してヒートシールすることによって互いを接着させ、飲料水容器に製袋することを可能にする。
【００３２】
シーラント層の材質としては、熱可塑性樹脂のうちポリオレフィン系樹脂が一般的に使用され、具体的には、低密度ポリエチレン樹脂（ＬＤＰＥ）、中密度ポリエチレン樹脂（ＭＤＰＥ）、直鎖状低密度ポリエチレン樹脂（ＬＬＤＰＥ）、エチレン−酢酸ビニル共重合体（ＥＶＡ）、エチレン−αオレフィン共重合体、エチレン−メタアクリル酸樹脂共重合体などのエチレン系樹脂や、ポリエチレンとポリブテンのブレンド樹脂や、ホモポリプロピレン樹脂（ＰＰ）、プロピレン−エチレンランダム共重合体、プロピレン−エチレンブロック共重合体、プロピレン−αオレフィン共重合体などのポリプロピレン系樹脂等を使用することができる。
【００３３】
シーラント層の形成には、押出機などを用いて溶融した樹脂を製膜して、積層体上に層形成することができる。あるいは、あらかじめフィルムの状態に製膜してある材料を、ラミネートによって積層することによって、積層体の表面にシーラント層を形成することも可能である。
【００３４】
また、本発明において、飲料水容器は、容器本体（１）と、スパウト（２）とから構成され、容器本体（１）にはスパウト（２）が先端部（４）を外側に突き出して接着されるのであって、たとえばこの接着をヒートシールなどの方法を用いて行なう場合には、接着剤を用いる場合に比べて、飲料水に対して、接着剤の材質由来の臭気の、飲料水への移行や、風味の変化を避けることが可能である。
【００３５】
また、たとえばスパウト（２）が、低密度ポリエチレン、直鎖状低密度ポリエチレン、環状ポリオレフィン系プラスチック、ポリエチレンテレフタレート樹脂等からなる場合には、ヒートシールなどの方法による接着が可能になるため好都合である。この場合にも飲料水に対して、材質由来の臭気の飲料水への移行や、風味の変化を避けることが可能であり好ましい。
【００３６】
またスパウト（２）の内側を貫通する飲料水の流路（５）にはそれを遮る、スパウトと一体となった隔壁（３）が設けられて、飲料水容器は密閉されている。容器本体（１）とスパウト（２）は接着され、飲料水容器を構成している。隔壁（３）の穿孔による飲料水容器の開封については図２を用いた説明で後述する。
【００３７】
また、本発明において、飲料水の流路の内径（ａ）は、隔壁（３）より外側において、ボトルホルダー側のニードルの直径より大きく、パッキンの直径と同等である。これは、図２を用いた説明で後述する。
【００３８】
図２は本発明に係る飲料水容器のスパウトに、ウォーターサーバーのボトルホルダー側のニードルを用いて穿孔して、注水を可能にした状態を説明するための、部分断面模式図である。
【００３９】
ウォーターサーバーのボトルホルダー側のニードル（１１）は、スパウト（２）の先端部（４）から挿入する。本発明は、ボトルホルダー側のニードル（１１）で飲料水容器に穿孔することによって飲料水を、ニードル（１１）から、ニードル（１１）を取り囲むパッキン（１２）、それらに連続するホース状のパーツ（１３）を通じて、ウォーターサーバーに注出する飲料水容器である。
【００４０】
したがって、ニードル（１１）、パッキン（１２）、ホース状のパーツ（１３）は、ウ
ォーターサーバーのボトルホルダー側のパーツ（１０）である。
【００４１】
ニードル（１１）には、取水口（１４）が設けてあり、飲料水はこの取水口（１４）から、ニードル（１１）の内側の流路を通り、ホース状のパーツ（１３）の内側の流路を通って、ウォーターサーバーに注水される。
【００４２】
注水のための穿孔は、ニードル（１１）の先端で、スパウト（２）の隔壁（３）を破壊して穿孔する。すなわち、スパウト（２）の内側を貫通する飲料水の流路（５）にはそれを遮る、スパウト（２）と一体となった隔壁（３）が設けられて、飲料水容器は密閉されているが、この穿孔によって飲料水容器は開封されて注水可能な状態となる。
【００４３】
スパウトはプラスチック成形品によって形成することができる。このとき隔壁も一体に形成することができる。また隔壁の厚さは０．１ｍｍ〜２．０ｍｍの範囲であることによって、密封性と容易な穿孔を両立することが可能である。
【００４４】
また、スパウト（２）は、中栓またはキャップによって、先端部（４）が閉じられている状態にすることが可能で、このようにすることによって、容器外部からの塵埃、汚れの付着を防止することが可能であり、飲料水への汚染を防止することが可能であり、加えて意図しない開封を防止することができる。
【００４５】
また、スパウト（２）は、低密度ポリエチレン、直鎖状低密度ポリエチレン、環状ポリオレフィン系プラスチック、ポリエチレンテレフタレート樹脂のいずれかを用いて形成することができる。これらの樹脂であれば、たとえば飲料水に対して、材質由来の臭気の移行や風味の変化を避けることが可能である。
【００４６】
前述のように、穿孔は、ウォーターサーバーのボトルホルダー側のニードル（１１）を、スパウト（２）の先端部から挿入する。
したがって飲料水の流路の内径（ａ）とニードルの直径（ｂ）との関係は、隔壁（３）より外側において、
飲料水の流路（ａ）＞ニードルの直径（ｂ）
である。
【００４７】
また、飲料水の流路の内径（ａ）とパッキンの直径（ｃ）との関係は、パッキン（１２）が飲料水の流路（５）に押し込まれ、また飲料水が漏れ出ることのないようにスパウト（２）先端部の密封を可能にするため、
流路の内径（ａ）＝パッキンの直径（ｃ）
である。
【００４８】
すなわち、パッキン（１２）は、スパウト（２）の内側の流路に挿入可能で、挿入した後には流路を密閉し、またニードル（１２）の保持に有効である。
【００４９】
これによって、ニードル（１１）を取り囲んでいるパッキン（１２）が、スパウト（２）の内側で、ニードル（１１）の位置を安定して支えることができ、穿孔の作業をより容易に行なうことが可能になり、また飲料水の注水を安定して行なうことが可能になる。
【００５０】
このように、本発明によれば、ウォーターサーバーのボトルホルダーに装着して、穿孔によって飲料水を注出する飲料水容器において、穿孔が容易で、飲料水の注出が安定した、飲料水容器の提供が可能である。
【符号の説明】
【００５１】
１・・・容器本体
２・・・スパウト
３・・・隔壁
４・・・先端部
５・・・飲料水の流路
１０・・・ボトルホルダー側のパーツ
１１・・・ニードル
１２・・・パッキン
１３・・・ホース状のパーツ
１４・・・取水口
ａ・・・飲料水の流路の内径
ｂ・・・ニードルの直径
ｃ・・・パッキンの直径
【図１】
2020066438.tif 000003
【図２】
2020066438.tif 000004